(57)【特許請求の範囲】
【請求項１】
パレットと、
前記パレットの上面の四隅に設置されるコーナー金具を有する下金枠と、
前記パレットの上面に設置され内部収容空間の下面を規定する底板と、
前記下金枠を介して前記パレットの辺縁に着脱自在に立設されて前記内部収容空間の側面を形成する複数の側板と、
前記側板で囲まれた前記内部収容空間の上部開口を閉塞する上蓋とを有する組み立て式コンテナであって、
前記側板は、前記パレットの一対の第１の辺縁に沿って立設され、前記第１の辺縁に垂直な前記パレットの一対の第２の辺縁を挟んで対向配置される一対の固定側板を有し、
前記固定側板の各々は両側面下部に各々外側に突出した係合ピンを有し、
前記コーナー金具は、前記パレットの前記第２の辺縁に沿って形成されて前記固定側板の前記係合ピンと係合する係合孔であって、前記固定側板の両側において前記係合ピンと係合するように、前記パレットの前記第１の辺縁を挟んで隣接する前記コーナー金具の前記係合孔と対向配置される係合孔を有し、
前記コーナー金具は、前記パレットの前記第２の辺縁に沿って立設され、前記係合孔が形成された板面を有し、
前記板面は、前記パレットの前記第２の辺縁の中央側の部分である先端部が、前記パレットの隅側の部分である付け根部よりも前記パレットの辺縁側に配置されるように、前記中央側の部分と前記隅側の部分との間で屈曲された屈曲部を有し、
前記対向配置される前記係合孔の間隔は、前記付け根部に形成された前記係合孔の間隔より、前記先端部に形成された前記係合孔の間隔の方が拡幅されていることを特徴とする組み立て式コンテナ。
【請求項２】
前記係合孔は、前記パレットの上面に沿った水平方向に延伸する水平孔と、当該水平孔の前記パレットの隅側の端部から前記第２の辺縁の中央方向で上方向に傾斜して延伸する傾斜孔とを有する請求項１に記載の組み立て式コンテナ。
【請求項３】
前記底板は前記パレットの上面に着脱自在であり、前記底板が前記パレットの上面に載置されていないときには、前記固定側板の両側面下部の前記係合ピンは、前記コーナー金具の前記対向配置される前記係合孔の前記水平孔を通過可能であり、前記底板が前記パレットの上面に載置された時には、前記固定側板の前記係合ピンは、前記コーナー金具の前記係合孔が形成された前記板面の部材と干渉し、前記係合孔の前記水平孔を通過不能となることを特徴とする請求項２に記載の組み立て式コンテナ。
【請求項４】
隣接する前記固定側板及び前記差込側板の上部角部を連結する連結具と、
前記連結具に係合する固定用ピンを有し、前記連結具の意図しない回動を防止する板バネとをさらに有し、
前記板バネは、前記板バネを操作するための操作部が、前記操作面の背面に対して略５０°の角度で開くように傾斜して形成されていることを特徴とする請求項１〜３のいずれかに記載の組み立て式コンテナ。
【請求項５】
前記底板、前記側板及び前記上蓋の少なくともいずれかは、表面にＰＥＴフィルムを貼着した又はアルミ蒸着をしたＭＤＦ（中密度繊維板）基板であることを特徴とする請求項１〜４いずれかに記載の組み立て式コンテナ。
【請求項６】
パレットと、
前記パレットの上面の四隅に設置されるコーナー金具を有する下金枠と、
前記パレットの上面に設置され内部収容空間の下面を規定する底板と、
前記下金枠を介して前記パレットの辺縁に着脱自在に立設されて前記内部収容空間の側面を形成する複数の側板と、
前記側板で囲まれた前記内部収容空間の上部開口を閉塞する上蓋とを有する組み立て式コンテナであって、
前記側板は、前記パレットの一対の第１の辺縁に沿って立設され、前記第１の辺縁に垂直な前記パレットの一対の第２の辺縁を挟んで対向配置される一対の固定側板を有し、
前記固定側板の各々は両側面下部に各々外側に突出した係合ピンを有し、
前記コーナー金具は、前記パレットの前記第２の辺縁に沿って形成されて前記固定側板の前記係合ピンと係合する係合孔であって、前記固定側板の両側において前記係合ピンと係合するように、前記パレットの前記第１の辺縁を挟んで隣接する前記コーナー金具の前記係合孔と対向配置される係合孔を有し、
前記対向配置される前記係合孔の間隔は、前記パレットの隅側より前記パレットの前記第２の辺縁の中央側の方が拡幅されており、
前記係合孔は、前記パレットの上面に沿った水平方向に延伸する水平孔と、当該水平孔の前記パレットの隅側の端部から前記第２の辺縁の中央方向で上方向に傾斜して延伸する傾斜孔とを有することを特徴とする組み立て式コンテナ。
【発明の詳細な説明】
【技術分野】
【０００１】
本発明は、所望の物品を収容し搬送等する組み立て式コンテナに関し、特に、利便性が高く操作性の良い組み立て式コンテナを提供することにある。
【背景技術】
【０００２】
所望の物品を収容し輸送や保管等を行うためのコンテナとしては、例えば、特許文献１に記載のコンテナを挙げることができる。特許文献１に開示の組み立て式コンテナは、側板や上蓋等の部材が常にパレットに連結された状態に維持されることを特徴とする組み立て式コンテナであり、部材が紛失等することによる不具合を防ぐことができる組み立て式コンテナである。
【０００３】
この種の組み立て式コンテナにおいて、パレット上に内部収容空間を形成する側板としては、パレットに固定設置された下金枠等に離脱不能に係合設置された固定側板と、固定側板の対向する側辺間に差し込まれて設置される差込側板とからなる構成が広く知られている。
【０００４】
このような構成を含めて、一般的に側板が下金枠等から離脱しない構成は、側板の紛失を防ぐほか、回動するのみで側板を立設したり折り畳んだりすることができる場合が多く、その点において便利である。しかしながら一方で、側板やパレットを洗浄したい場合等には、これらが分離できないことにより洗浄等が容易ではなく、不便な点もある。
【０００５】
従って、通常に使用する時には少なくとも一部の側板（例えば固定側板）は離脱不能に構成されており、側板やパレットを洗浄したい時にのみそれらを離脱することができるような組み立て式コンテナがあれば、非常に便利であることが予測される。また、そのための側板の係合設置等の操作は、できる限り容易に、しかしながら意図しないときに分離したりすることがないように確実になされることが重要であり、そのような操作性を兼ね備えた組み立て式コンテナの実現が期待されている。
【先行技術文献】
【特許文献】
【０００６】
【特許文献１】特開２０１２−１３１５４１号公報
【発明の概要】
【発明が解決しようとする課題】
【０００７】
本発明は、このような課題を解決するためになされたものであって、その目的は、組み立て式コンテナにおいて、通常に使用する時には固定側板は離脱不能に構成されており、側板やパレットを洗浄したい時等には固定側板を分離することができるとともに、その固定側板の係合設置や分離の作業が容易に行えるような、利便性が高く操作性の良い組み立て式コンテナを提供することにある。
【課題を解決するための手段】
【０００８】
前記課題を解決するために、本願発明の組み立て式コンテナは、パレットと、前記パレットの上面の四隅に設置されるコーナー金具を有する下金枠と、前記パレットの上面に設置され内部収容空間の下面を規定する底板と、前記下金枠を介して前記パレットの辺縁に着脱自在に立設されて前記内部収容空間の側面を形成する複数の側板と、前記側板で囲まれた前記内部収容空間の上部開口を閉塞する上蓋とを有する組み立て式コンテナであって、前記側板は、前記パレットの一対の第１の辺縁に沿って立設され、前記第１の辺縁に垂直な前記パレットの一対の第２の辺縁を挟んで対向配置される一対の固定側板を有し、前記固定側板の各々は両側面下部に各々外側に突出した係合ピンを有し、前記コーナー金具は、前記パレットの前記第２の辺縁に沿って形成されて前記固定側板の前記係合ピンと係合する係合孔であって、前記固定側板の両側において前記係合ピンと係合するように前記パレットの前記第１の辺縁を挟んで隣接する前記コーナー金具の前記係合孔と対向配置される係合孔を有し、前記対向配置される前記係合孔の間隔は、前記パレットの隅側より前記パレットの前記第２の辺縁の中央側の方が拡幅されていることを特徴とするものである。
【０００９】
好適には、前記コーナー金具は、前記パレットの前記第２の辺縁に沿って立設され、前記係合孔が形成された板面を有し、前記板面は、前記パレットの前記第２の辺縁の中央側の部分が前記パレットの隅側の部分よりも前記パレットの辺縁側に配置されるように前記中央側の部分と前記隅側の部分との間で屈曲された屈曲部を有することを特徴とする。
【００１０】
また好適には、前記係合孔は、前記パレットの上面に沿った水平方向に延伸する水平孔と、当該水平孔の前記パレットの隅側の端部から前記第２の辺縁の中央方向で上方向に傾斜して延伸する傾斜孔とを有する。
【００１１】
また好適には、前記底板は前記パレットの上面に着脱自在であり、前記底板が前記パレットの上面に載置されていないときには、前記固定側板の両側面下部の前記係合ピンは、前記コーナー金具の前記対向配置される前記係合孔の前記水平孔を通過可能であり、前記底板が前記パレットの上面に載置された時には、前記固定側板の前記係合ピンは、前記コーナー金具の前記係合孔が形成された前記板面の部材と干渉し、前記係合孔の前記水平孔を通過不能となることを特徴とする。
【００１２】
また好適には、本発明の組み立て式コンテナは、隣接する前記固定側板及び前記差込側板の上部角部を連結する連結具と、前記連結具に係合する固定用ピンを有し、前記連結具の意図しない回動を防止する板バネとをさらに有し、前記板バネは、前記板バネを操作するための操作部が、前記操作面の背面に対して略５０°の角度で開くように傾斜して形成されていることを特徴とする。
【００１３】
また好適には、前記底板、前記側板及び前記上蓋の少なくともいずれかは、表面にＰＥＴフィルムを貼着した又はアルミ蒸着をしたＭＤＦ（中密度繊維板）基板であることを特徴とする。
【発明の効果】
【００１４】
本発明によれば、通常に使用する時には固定側板は離脱不能に構成されており、側板やパレットを洗浄したい時等には固定側板を分離することができるとともに、その固定側板の係合設置や分離の作業が容易に行えるような、利便性が高く操作性の良い組み立て式コンテナを提供することができる。
【図面の簡単な説明】
【００１５】
【図１】図１は、本発明の一実施形態の組み立て式コンテナの構造を示す分解斜視図である。
【図２】図２は、図１に示した組み立て式コンテナの下金枠の構成を示す図であって、図２（Ａ）は平面図であり、図２（Ｂ）は正面図であり、図２（Ｃ）は側面図である。
【図３】図３は、図１に示した組み立て式コンテナの下金枠のコーナー金具の構成を模式的に示す図であり、図３（Ａ）は側面図であり、図３（Ｂ）は平面図である。
【図４】図４は、図１に示した組み立て式コンテナにおいて、固定側板をコーナー金具に係合設置する方法を説明するための図であり、図４（Ａ）はその第１の図であり、図４（Ｂ）はその第２の図である。
【図５】図５は、図４とともに図１に示した組み立て式コンテナにおいて固定側板をコーナー金具に係合設置する方法を説明するための図であり、図５（Ａ）はコーナー金具の箇所の側面図であり、図５（Ｂ）はコーナー金具の箇所の平面図である。
【図６】図６は、図１に示した組み立て式コンテナにおいて、底板を設置する方法を説明するための図である。
【図７】図７は、図１に示した組み立て式コンテナにおいて、固定側板及び底板が設置された状態におけるコーナー金具の係合孔、底板及び固定側板の係合ピンの位置関係を説明するための図である。
【図８】図８は、図１に示した組み立て式コンテナの連結具及び板バネを説明するための図であり、図８（Ａ）はその第１の図であり、図８（Ｂ）はその第２の図であり、図８（Ｃ）はその第３の図である。
【図９】図９は、図８に示した板バネの形状を説明するための図である。
【図１０】図１０は、図１に示した組み立て式コンテナの上蓋の構成を説明するための図であり、図１０（Ａ）は枠部材の形態を説明するための図であり、図１０（Ｂ）は枠部材の端部の連結形態を説明するための図である。
【発明を実施するための形態】
【００１６】
本発明の組み立て式コンテナ１の一実施形態について、図１〜図１０を参照して説明する。図１は、本実施形態の組み立て式コンテナ１の構造を模式的に示す分解斜視図である。図１に示すように、組み立て式コンテナ１は、パレット１００、下金枠２００、底板３００、側板４００及び上蓋５００を有する。また、側板４００は、各々一対の固定側板４１０及び差込側板４５０を有する。
【００１７】
パレット１００は、図１に示すように、組み立て式コンテナ１の基台であって運搬台である。本実施形態の組み立て式コンテナ１において、パレット１００は、平面形状が略正方形で所定の高さを有する樹脂製のパレットである。パレット１００の四方側面には、各々、フォークリフトの爪部（フォーク）が差し込まれるリフト用開口１０１が形成されている。
【００１８】
下金枠２００は、パレット１００の上面の周縁に沿って設置されるスチール等の金属製の枠部材である。下金枠２００は、組み立て式コンテナ１が組み立てられた状態において側板４００の位置を規定するとともに、これらを立設あるいは折り畳むための支持部材である。
【００１９】
下金枠２００は、パレット１００の上面の四隅位置に設置されるコーナー金具２１０と、隣接するコーナー金具２１０の間を接続するように設置される各々一対の第１の補強金枠２２０及び第２の補強金枠２３０を有する。第１の補強金枠２２０は、パレット１００の一方の対辺であって固定側板４１０が設置される一対の辺縁に沿って設置され、第２の補強金枠２３０は、パレット１００の他方の対辺であって差込側板４５０が設置される一対の辺縁に沿って設置され。
【００２０】
第１の補強金枠２２０及び第２の補強金枠２３０は、断面Ｌ字形状の棒状部材である。第１の補強金枠２２０及び第２の補強金枠２３０は、図２に示すように、一方の板面（水平面）２２１，２３１を、パレット１００の上面に接面するように配置し、螺子２２３，２３３により水平面２２１，２３１をパレット１００の上面に接合することによりパレット１００上に固定設置され、これにより他方の板面（立設面）２２２，２３２がパレット１００の周縁に沿って立設された状態となる。螺子２２３，２３３は、パレット１００の上面の孔を貫通し、その裏面に設置される図示せぬナットに係合される。
【００２１】
コーナー金具２１０は、図３（Ｂ）に示すように、第１の補強金枠２２０方向（固定側板４１０が設置される辺縁方向、図１参照）に延伸する第１の板面２１１、及び、第２の補強金枠２３０方向（差込側板４５０が設置される辺縁方向、図１参照）に延伸する第２の板面２１２を有するＬ字状の金具である。コーナー金具２１０は、図１及び図２に示すように、パレット１００の４隅位置の各々において、隣接する第１の補強金枠２２０及び第２の補強金枠２３０の端部を連結するように設置される。
【００２２】
コーナー金具２１０は、図３（Ｂ）に示すように、第１の板面２１１及び第２の板面２１２のパレット１００の角部とは反対側の端部の内側面が第１の補強金枠２２０及び第２の補強金枠２３０の端部の外側面に接するように、第１の補強金枠２２０及び第２の補強金枠２３０の外側に配置され、コーナー金具２１０の第１の板面２１１と第１の補強金枠２２０の重なった部分、及び、コーナー金具２１０の第２の板面２１２と第２の補強金枠２３０の重なった部分の各々に、リベット２２４，２３４が内側から、すなわち第１の補強金枠２２０及び第２の補強金枠２３０の側からコーナー金具２１０の第１の板面２１１及び第２の板面２１２に対して打ち込まれることにより、第１の補強金枠２２０及び第２の補強金枠２３０に対して固定設置される。
【００２３】
図２に示すように、第１の補強金枠２２０の両側に配置される一対のコーナー金具２１０において、第２の板面２１２は対向して配置されることとなる。コーナー金具２１０のこの第２の板面２１２に、図３（Ａ）に示すように、固定側板４１０を回動可能に係合保持する係合孔２１３が形成される。後述するように、固定側板４１０の側縁面両側下部には各々外側方向に突出した係合ピン４１１が形成されている（図１参照）。対向配置されたコーナー金具２１０の各第２の板面２１２の係合孔２１３に、固定側板４１０の側縁面両側下部の係合ピン４１１が嵌合挿入されることにより、係合ピン４１１は係合孔２１３に係合される。すなわち、固定側板４１０はコーナー金具２１０に係合される。
【００２４】
コーナー金具２１０の係合孔２１３は、図３（Ａ）に示すように、パレット１００の上面に沿った方向に延伸するように形成された水平孔２１４と、水平孔２１４のパレット１００の角側の端部から内側上方向に傾斜して延伸するように形成された傾斜孔２１５とを有する「レ」字形状の孔である。水平孔２１４は、固定側板４１０の係合ピン４１１を係合孔２１３に係合させるため及び離脱させるための孔であり、傾斜孔２１５は、固定側板４１０を離脱不能にコーナー金具２１０に係合させた状態で保持するため及びその係合させた状態でパレット１００の上面に傾倒させるための孔である。
【００２５】
なお、係合孔２１３の傾斜孔２１５は、垂直方向（パレット１００の上面に対して垂直な方向）に対して、３０〜４５°の角度で傾斜して形成されるのが好ましい。
【００２６】
また、コーナー金具２１０の第２の板面２１２には、図３（Ｂ）に示すように、その第２の板面２１２のほぼ中央付近であって、水平孔２１４の先端部に近い箇所において、いわゆる背切りの屈曲部２１７が形成されており、屈曲部２１７の第１の板面２１１側である付け根部２１６に対して、屈曲部２１７より端部側の先端部２１８が、よりパレット１００の周縁に近い外側に配置される構成となっている。
【００２７】
図２を参照して前述したように、第１の補強金枠２２０の両側に配置される一対のコーナー金具２１０において第２の板面２１２は対向して配置されるため、この対向配置された第２の板面２１２の間の距離は、各コーナー金具２１０の屈曲部２１７のために、付け根部２１６の箇所の対向面間の距離に対して、先端部２１８の箇所の対向面間の距離の方が長くなっている。換言すれば、一対のコーナー金具２１０の対向する第２の板面２１２の間の幅は、先端部２１８の部分の幅の方が、付け根部２１６の部分の幅よりも広くなっている。
【００２８】
このように、コーナー金具２１０の水平孔２１４が形成された第２の板面２１２に屈曲部２１７を形成し、対向する第２の板面２１２の先端部２１８の間隔を幅広にする構成は、固定側板４１０をコーナー金具２１０に係合設置させるとき、及び、固定側板４１０をコーナー金具２１０から離脱する（分離する）ときの作業を容易にするための構成である。なお、この作業の方法等については、後の固定側板４１０の説明の際に記載する。
【００２９】
また、コーナー金具２１０は、組み立て式コンテナ１が折り畳まれた際に上蓋５００を支持する支柱となる。そのためコーナー金具２１０は、パレット１００の上面に２枚の固定側板４１０及び２枚の差込側板４５０を積み重ねた状態でこれらを収容可能な高さに形成される。
【００３０】
また、図１に示すように、下金枠２００の第１の補強金枠２２０の外面中央部には、組み立て式コンテナ１を折り畳んだ状態において上蓋５００のゴムバンド５２０を掛止するゴムバンド受け金具２２５が設置されている。
【００３１】
底板３００は、パレット１００上面の下金枠２００で囲まれた範囲に載置され、組み立て式コンテナ１の内部収容空間の下面を規定する板状部材である。底板３００の材質は、特に限定されないが、ＭＤＦ（中密度繊維板）、プラスチック製のハニカム材、発泡材等が例示される。ここで、ＭＤＦとして、板厚３ｍｍ程度の表面にＰＥＴフィルムを貼着した又はアルミ蒸着をしたＭＤＦ（中密度繊維板）基板が例示される。底板３００は、パレット１００の上面に固定はされておらず、パレット１００の上面への載置、及び、パレット１００の上面からの取り外しが容易に行えるように構成されている。
【００３２】
本発明に係る組み立て式コンテナ１においては、底板３００をパレット１００の上面に載置した場合には、固定側板４１０の係合ピン４１１がコーナー金具２１０の係合孔２１３の水平孔２１４を通過できなくなるように、コーナー金具２１０の係合孔２１３の水平孔２１４及び底板３００を構成している。具体例として、本実施形態の組み立て式コンテナ１においては、図７を参照して後述するように、パレット１００の上面に底板３００を載置した場合には、底板３００の上面が水平孔２１４の下辺より上に配置され、底板３００の上面とその水平孔２１４の上辺との間の間隙ｐが固定側板４１０の係合ピン４１１の直径ｒより小さくなり、これにより固定側板４１０の係合ピン４１１がコーナー金具２１０の係合孔２１３の水平孔２１４を通過できなくなるように構成している。
【００３３】
側板４００は、図１に示すように、第１の補強金枠２２０に沿って対向配置される一対の固定側板４１０と、一対の固定側板４１０の対向する両側縁部を接続するように、第２の補強金枠２３０に沿って対向配置される一対の差込側板４５０とを有する。組み立て式コンテナ１が組み立てられた状態において、これら４枚の側板４００は下金枠２００に沿ってパレット１００の上面の周縁上に立設され、パレット１００の上部空間を取り囲み、組み立て式コンテナ１の内部収容空間を形成する。また、組み立て式コンテナ１が折り畳まれたときには、側板４００は、パレット１００の上部に傾倒され重ねられて載置される。
【００３４】
固定側板４１０の側縁面両側下部には、外方向に突出するように形成された係合ピン４１１が設置されており、下金枠２００のコーナー金具２１０に形成された係合孔２１３に回動可能に係合される。
【００３５】
ここで、固定側板４１０をコーナー金具２１０に対して係合設置する方法について、図４〜図７を参照して説明する。
【００３６】
パレット１００の上面から底板３００を取り外す。前述したように、本実施形態の組み立て式コンテナ１においては、底板３００をパレット１００の上面に載置したときには固定側板４１０の係合ピン４１１がコーナー金具２１０の係合孔２１３の水平孔２１４を通過できないようにコーナー金具２１０及び底板３００が構成されている。従って、底板３００を取り外すことにより、固定側板４１０の係合ピン４１１が、パレット１００に設置されたコーナー金具２１０の係合孔２１３の水平孔２１４を通過可能な状態となる。
【００３７】
一対のコーナー金具２１０の間に固定側板４１０を係合設置するときには、まず、固定側板４１０の下縁部をパレット１００の固定側板４１０を設置する辺縁に対して、換言すれば第１の補強金枠２２０に対して傾け、係合ピン４１１の両端が一対のコーナー金具２１０の対向する第２の板面２１２の幅広の先端部２１８の間に入るように、固定側板４１０を配置する。そしてこの状態で、コーナー金具２１０に近い側の固定側板４１０の係合ピン４１１が、コーナー金具２１０の第２の板面２１２の先端部２１８の水平孔２１４に嵌入されるように、図４（Ａ）、図５（Ａ）及び図５（Ｂ）に符号４１０ａ及び４１１ａで示すように、固定側板４１０をパレット１００の周縁方向に、すなわち第１の補強金枠２２０の方向に移動させる。
【００３８】
固定側板４１０の一方の係合ピン４１１が水平孔２１４に嵌入されたら、その係合ピン４１１ａが付け根の部分まで水平孔２１４に嵌入されるように固定側板４１０を嵌入された係合ピン４１１（４１１ａ）側にずらす。そして、固定側板４１０の傾きを第１の補強金枠２２０と平行な状態に徐々に戻し、固定側板４１０のコーナー金具２１０から遠い側の係合ピン４１１も対向するコーナー金具２１０の第２の板面２１２の水平孔２１４に嵌入されるようにする。
【００３９】
固定側板４１０の両端の係合ピン４１１がともにコーナー金具２１０の第２の板面２１２の水平孔２１４に嵌入され、固定側板４１０が第１の補強金枠２２０と略平行になったら、固定側板４１０は第２の板面２１２の屈曲部２１７よりも第１の補強金枠２２０側にスライドさせることが可能な状態となる。従って、図４（Ａ）、図５（Ａ）及び図５（Ｂ）に符号４１０ｂ及び４１１ｂで示すように、固定側板４１０を第２の板面２１２の屈曲部２１７を通過させ、さらに第１の補強金枠２２０側にスライドさせる。
【００４０】
引き続き、図４（Ｂ）、図５（Ａ）及び図５（Ｂ）に符号４１０ｃ及び４１１ｃで示すように、固定側板４１０を、第２の板面２１２の付け根部２１６を通過させ、さらに第１の補強金枠２２０方向にスライドさせる。
そして、図４（Ｂ）、図５（Ａ）及び図５（Ｂ）に符号４１０ｄ及び４１１ｄで示すように、固定側板４１０の下縁部（下枠）が第１の補強金枠２２０に当接するまで、あるいは、係合ピン４１１が水平孔２１４の付け根部２１６の最奥部に到達するまで、固定側板４１０を第１の補強金枠２２０方向にスライドさせる。
【００４１】
一対の固定側板４１０を、ともに係合ピン４１１が下金枠２００の係合孔２１３に嵌挿され、固定側板４１０の下枠が下金枠２００の第１の補強金枠２２０に当接する位置までスライドさせたら、次に、底板３００をパレット１００の上面に設置する。
そのために、図６に示すように、底板３００を撓ませてパレット１００の上面に保持し、図６において符号４１０ｅ及び４１１ｅで示すように固定側板４１０を若干持ち上げて固定側板４１０の下端面とパレット１００の上面との間に間隙を形成し、底板３００の端部をこの間隙に滑り込ませる。底板３００を固定側板４１０の下端面の下に配置したら、固定側板４１０の下端面が底板３００の上面に当接するように、固定側板４１０を底板３００上に降ろす。
【００４２】
一対の固定側板４１０に対してこのように底板３００を設置することにより、底板３００はパレット１００の上に正常に平板状態で配置されるとともに、一対の固定側板４１０もパレット１００上の一方の方向の対向する辺縁に沿って、すなわち第１の補強金枠２２０に沿って設置された状態となる。
【００４３】
なお、前述したように、コーナー金具２１０の係合孔２１３は、水平孔２１４と、水平孔２１４の端部においいて水平孔２１４に接続する傾斜孔２１５とを有する構成である。固定側板４１０は、係合ピン４１１をこの傾斜孔２１５に沿って斜め上方に移動させることにより、コーナー金具２１０から離脱することなく、容易に上方に移動される。
【００４４】
また、組み立て式コンテナ１においては、このように底板３００をパレット１００の上面に載置した状態において、図７に示すように、底板３００の上面は水平孔２１４の下縁よりも上に配置された状態となる。この状態において、底板３００の上面と水平孔２１４の上縁との間隔ｐは、固定側板４１０の係合ピン４１１の直径ｒよりも小さくなるように構成されている。換言すれば、固定側板４１０の係合ピン４１１の上端部は、係合孔２１３の上縁よりも上述した間隔ｐと直径ｒの差分ｑだけ高い位置となっている。
【００４５】
その結果、係合ピン４１１は係合孔２１３の水平孔２１４の上縁部と干渉し、水平孔２１４を通過することができなくなる。すなわち、係合ピン４１１は係合孔２１３の傾斜孔２１５に沿ってのみを移動可能な状態となる。その結果、固定側板４１０はコーナー金具２１０から分離不能に係合保持された状態となる。
固定側板４１０は、このように下金枠２００及び底板３００を介して、パレット１００上に係合設置される。
【００４６】
なお、固定側板４１０を下金枠２００のコーナー金具２１０から離脱する方法については、前述した固定側板４１０をコーナー金具２１０に係合設置する方法の反対の作業をすればよいだけなので、ここではその説明は省略する。
【００４７】
固定側板４１０の側縁面両側の内側には、差込側板４５０を抜き差しするための図示せぬ溝が形成されている。一対の固定側板４１０を下金枠２００の第１の補強金枠２２０に沿って立設した後、対向する固定側板４１０の側縁面に各々形成された対向する溝の間に各々差込側板４５０を差し込むことにより、図１に示すように、一対の差込側板４５０が、一対の固定側板４１０の対向する両側縁部を接続するように、一対の固定側板４１０の間に設置される。
【００４８】
また、図１に示すように、差込側板４５０の上部外面の両側付近には、隣接する固定側板４１０の上端部と差込側板４５０の上端部とを連結する連結具４６０、及び、この連結具４６０の連結状態を維持するための板バネ４７０が設置されている。
【００４９】
連結具４６０は、固定側板４１０と差込側板４５０の上部角部が相互に離脱することがなく連結状態が維持されるように、図８（Ａ）に示すように、固定側板４１０と差込側板４５０とが連結されているその上部角部の全体を被覆する。連結具４６０は、差込側板４５０の上枠に設置された係留ピン４６８が長穴４６１を通過することにより、差込側板４５０の上端部外面に回動可能に設置されている。そして、回動先端側の端部には、固定側板４１０及び差込側板４５０の各々の上角部を挟持する図示せぬ溝が形成されており、この溝部において固定側板４１０及び差込側板４５０の上角部を挟持することにより、固定側板４１０及び差込側板４５０の上角部を分離不能に連結状態に維持する。
【００５０】
連結具４６０が、固定側板４１０及び差込側板４５０の上角部を挟持する姿勢とされている状態において、連結具４６０の長穴４６１には、図８（Ａ）に示すように、差込側板４５０の上枠の係留ピン４６８に隣接する位置に形成された嵌合孔４６９が露見する。換言すれば、そのように嵌合孔４６９が露見するように、連結具４６０の長穴４６１及び差込側板４５０の上枠の嵌合孔４６９が形成されている。この嵌合孔４６９に、図８（Ｂ）に示すように、板バネ４７０に形成された固定用ピン４７１を連結具４６０の長穴４６１を通過させて嵌入させる。これにより、板バネ４７０の固定用ピン４７１が連結具４６０に係合し、連結具４６０の意図しない回動を防止することができる。
【００５１】
組み立て式コンテナ１においては、収容物を搬出等する場合に、組み立て式コンテナ１の全体を回転させて収容物を外部に搬出（流出、投入）する場合がある。連結具４６０が単独で設置されている場合には、このような場合に連結具４６０が回動してしまう可能性がある。また、連結具４６０は、例えば搬送時等の振動により浮き上がる場合もある。これらの場合に、連結具４６０が意図しない回動をしてしまうと、差込側板４５０と固定側板４１０の連結が解除され、固定側板４１０と差込側板４５０の上部角部が相互に分離し、結果的に組み立て式コンテナ１が分解してしまう可能性がある。しかしながら、板バネ４７０の固定用ピン４７１を連結具４６０に係合させて連結具４６０の意図しない回動を防ぐことにより、このような不備が防止され、組み立て式コンテナ１を回転しても組み立て式コンテナ１は適切にその形状を維持することができる。
【００５２】
板バネ４７０は、図９に示すような形状を有し、一方の端部にリベットを通過させる孔４７２が形成され、他方の端部に固定用ピン４７１が設置されている。固定用ピン４７１が形成されている側の先端部は、固定用ピン４７１が設置されている面４７４に対して所定の角度で屈曲されて操作部４７３に形成されている。なお、操作部４７３の傾斜角度は、図９に示すように、板バネ４７０の固定用ピン設置面４７４に対して、略１３０°程度である。換言すれば、操作部４７３は、板バネ４７０が設置された場合に操作部４７３の背面側に配置される面（背面）に対して、略５０°の角度を成して構成されるものである。
【００５３】
このような板バネ４７０を、図８（Ａ）に示すように、リベット４７８により差込側板４５０の上枠に回動可能に設置する。板バネ４７０は、図８（Ｂ）に示すように、略１８０度回動した時に、他方の端部に形成された固定用ピン４７１が連結具４６０に係る嵌合孔４６９に嵌入可能な位置に設置される。板バネ４７０が連結具４６０に係合した状態においては、図８（Ｃ）に示すように、連結具４６０及び板バネ４７０は固定側板４１０及び差込側板４５０の上枠に沿った略平坦な状態となり、この状態により、固定側板４１０と差込側板４５０の上角部の連結状態を維持する。
【００５４】
なお、図８（Ｂ）及び図８（Ｃ）に示すように、差込側板４５０の上枠外面には、板バネ４７０が連結具４６０に係合しない状態において、固定用ピン４７１が嵌入される固定用ピン収納孔４７５が形成されており、図８（Ａ）に示すように、板バネ４７０が連結具４６０に係合しないときには、板バネ４７０は固定用ピン４７１がこの固定用ピン収納孔４７５に嵌入された状態に維持される。
【００５５】
組み立て式コンテナ１は、このように対向する固定側板４１０の間に差込側板４５０が設置されることにより、パレット１００の上に内部収容空間が形成され、所望の物品を収容可能な組み立て状態とされる。
また、板バネ４７０による連結具４６０の係留を解除し、さらに連結具４６０による固定側板４１０と差込側板４５０との上部角部の連結を解除することにより、差込側板４５０は固定側板４１０の間から抜き取り可能となる。また、一対の固定側板４１０を抜き取った後は、固定側板４１０は各々内側方向（パレット１００の上部方向）に傾倒可能となる。
【００５６】
組み立て式コンテナ１を折り畳む場合は、抜き取った差込側板４５０をパレット１００の上面に載置し、その上に一対の固定側板４１０を順次傾倒させる。固定側板４１０を傾倒させる際には、固定側板４１０の係合ピン４１１がコーナー金具２１０の係合孔２１３の傾斜孔２１５に沿って斜め上方に移動するように固定側板４１０を斜め上方に移動させる。これにより、固定側板４１０の傾倒が容易になるとともに、２枚の差込側板４５０、あるいは、２枚の差込側板４５０とその上の１枚の固定側板４１０の上に固定側板４１０を載置したときに、係合ピン４１１の位置が適切な高さとなり、固定側板４１０を水平にパレット１００上に載置することが可能となる。
【００５７】
また、固定側板４１０の外面中央上部には、組み立て式コンテナ１を組み立てた状態において上蓋５００のゴムバンド５２０を掛止するゴムバンド受け金具４１５が設置されている。
【００５８】
また、組み立て式コンテナ１において、各側板４００（一対の固定側板４１０及び一対の差込側板４５０）は、各々、厚さ７ｍｍ程度の表面にＰＥＴフィルムを貼着した又はアルミ蒸着をしたＭＤＦ（中密度繊維板）基板の周囲をスチール製の枠部材で囲んだ構成が例示でき、ＭＤＦ以外にプラスチック製のハニカム材、発泡材等を使用することもできる。
【００５９】
上蓋５００は、パレット１００上に固定側板４１０及び差込側板４５０により形成される内部収容空間の上部開口を閉塞する平板状部材である。組み立て式コンテナ１において、上蓋５００は、厚さ３ｍｍ程度の表面にＰＥＴフィルムを貼着した又はアルミ蒸着をしたＭＤＦ（中密度繊維板）基板５０１の周囲をスチール製の枠部材５０２で囲んだ構成が例示でき、ＭＤＦ以外にプラスチック製のハニカム材、発泡材等を使用することもできる。
【００６０】
上蓋５００は、上蓋５００の周縁に設置される枠部材５０２の全体をまずヘミング加工し図１０（Ａ）に示すような断面「Ｆ」字状の溝５０３を形成した部材とし、この溝５０３に基板５０１を差し込み枠部材５０２を基板５０１の４隅で折り曲げて基板５０１の周囲を囲む形状とし、最後に図１０（Ｂ）に示すように枠部材５０２の両端部に接合用当て板５０４をリベット５０５にて固定して形成する。その際、リベット５０５は、その頭が上蓋５００の上面の枠部材５０２を貫通しないで、基板５０１の内部に埋め込まれるように打ち込む。
【００６１】
また、上蓋５００の一方の方向の両側面には、ゴムバンド５２０が設置されている。ゴムバンド５２０は、組み立て式コンテナ１が組み立てられた状態においては固定側板４１０のゴムバンド受け金具４１５に、また、組み立て式コンテナ１が折り畳まれた状態においては下金枠２００の第１の補強金枠２２０のゴムバンド受け金具２２５に掛止され、いずれの場合も、上蓋５００が容易に開放されないようにこれを保持する。
【００６２】
本実施形態の組み立て式コンテナ１は、このような構成を有するものである。
なお、本実施形態の組み立て式コンテナ１においては、組み立て式コンテナ１を段積みする為の特別の構造を設けていないが、そのような構造を具備しなくとも、組み立て状態においても、あるいは折り畳み状態においても、適宜段積み可能なものである。
【００６３】
このような構成の本発明に係る組み立て式コンテナにおいては、固定側板４１０の係合ピン４１１が係合されて固定側板４１０が下金枠２００に対して設置されるコーナー金具２１０において、固定側板４１０を着脱する際に係合ピン４１１が通過する水平孔２１４が形成された第２の板面２１２に屈曲部２１７を設け、係合孔２１３の先端部２１８をパレット１００の辺縁側に配置し、対向配置された水平孔２１４の先端部２１８の間隔を幅広に形成している。
【００６４】
その結果、図４を参照して前述したように、固定側板４１０をコーナー金具２１０に係合させる際、あるいは、固定側板４１０をコーナー金具２１０から離脱させる際に、係合ピン４１１を係合孔２１３に係合させるために固定側板４１０を斜めに傾ける角度を小さくすることができる。すなわち、固定側板４１０の係合設置あるいは離脱を従来より容易に行うことができる。
【００６５】
また、コーナー金具２１０の第２の板面２１２に屈曲部２１７を設けることにより、係合孔２１３の水平孔２１４の長さを短くすることができる。その結果、コーナー金具２１０の強度の低下を防ぐことができ、換言すれば下金枠２００の強度を向上させることができ、組み立て式コンテナ１全体としても剛性が高く、強度を強くすることができ、信頼性の高い組み立て式コンテナ１を提供することができる。
【００６６】
また、このような構成の本発明に係る組み立て式コンテナ１においては、底板３００をパレット１００の上面に載置しているかいないかにより、固定側板４１０を、下金枠２００に対して、換言すればパレット１００に対して、離脱不能に一体的に係合した状態か、離脱可能な状態かにすることができる。すなわち、組み立て式コンテナ１においては、底板３００を設置していない状態においてのみ、固定側板４１０の係合ピン４１１をコーナー金具２１０の係合孔２１３の水平孔２１４を通過させることができるように構成されており、固定側板４１０をコーナー金具２１０に係合設置させたり、あるいは、コーナー金具２１０に係合されている固定側板４１０をコーナー金具２１０から離脱させたりすることができるようになっている。また、底板３００をパレット１００の上面に載置した状態では、固定側板４１０とコーナー金具２１０の係合状態は維持され、その状態において固定側板４１０をパレット１００の辺縁に沿って立設させたり、あるいはパレット１００の上面に傾倒させたりすることはできるが、固定側板４１０をコーナー金具２１０から離脱することはできない構成となっている。
【００６７】
したがって、組み立て式コンテナ１においては、組み立て式コンテナ１を使用する時（組み立て時及び折り畳み時を含む）には、固定側板４１０がパレット１００から離脱しない状態に維持できるため、作業操作が簡単で物品の搬入出及び搬送等を効率よく行うことができ、固定側板４１０が分離して紛失等することもないため長期にわたり安全に使用をすることができ、信頼性が高く、結果として物品の収容、搬送コスト等を低減することもできる。一方で、組み立て式コンテナ１を洗浄等する際には、固定側板４１０を下金枠２００（パレット１００）から取り外すことができるので、パレット１００あるいは側板４００の洗浄やメンテナンス等を効率よく行うことができる。このように、本発明に係る組み立て式コンテナ１においては、使用状態とメンテナンス状態とを、底板３００を載置するか取り外すかという容易な作業により変更することができ、極めて作業性のよい利便性の高い組み立て式コンテナを実現できる。
【００６８】
また、本実施形態の組み立て式コンテナ１においては、固定側板４１０と差込側板４５０の上部角部を連結する連結具４６０の意図しない回動を防止する為に板バネ４７０を設けているとともに、この板バネ４７０を操作する部分の操作部として、板面から１３０°の角度で傾斜した操作部４７３を設けている。従来、この種の板バネ４７０を操作する操作部、すなわち取っ手としては二重のリングをつけていた。これに対して本実施形態の組み立て式コンテナ１の板バネ４７０においては、リングの落下等による不具合を防ぐことができ、安全品質の確保された信頼性の高い組み立て式コンテナを提供することができる。また、操作部４７３の１３０°という傾斜角度は、板バネ４７０の固定用ピン４７１側の端部を持ち上げる時には操作部４７３の裏面の指等を挿入する部分の角度が５０°ということを意味し、これは極めて操作が容易な扱い易い形態と言える。したがって、操作性の点においても、従来の二重リングを掴んで板バネを持ち上げる操作と比べて、極めて操作性が良いと言うことができる。
【００６９】
さらにまた、組み立て式コンテナ１においては、底板３００、側板４００及び上蓋５００の各基材として、ＭＤＦ（中密度繊維板）基板、プラスチック製のハニカム材、発泡材を用いている。したがって、これらの部材の軽量化を達成することができ、組み立て式コンテナ１全体としても大きく軽量化することができる。
本発明に係る組み立て式コンテナ１は、このように極めて利便性が高く、操作性の良い組み立て式コンテナである。
【００７０】
本発明は、前述した実施形態に限定されるものではなく、本発明の範囲内で種々に改変することができる。
【００７１】
例えば、前述した組み立て式コンテナ１においては、底板３００をパレット１００の上面に載置した場合に固定側板４１０の係合ピン４１１がコーナー金具２１０の係合孔２１３の水平孔２１４を通過できなくなるようにする構成として、パレット１００の上面に底板３００を載置した場合には、底板３００の上面とその水平孔２１４の上辺との間の間隙が固定側板４１０の係合ピン４１１の直径より小さくなる構成を例示した。しかしながら、係合ピン４１１が形成されている固定側板４１０の側面の寸法条件等により、底板３００の上面がコーナー金具２１０の係合孔２１３の水平孔２１４の下辺より上となる状態となっていなくとも、底板３００の載置により固定側板４１０の係合ピン４１１がコーナー金具２１０の係合孔２１３の水平孔２１４を通過できなくなる構成は考えられる。例えば、係合ピン４１１の外周面から係合ピン４１１が形成されている固定側板４１０の側面の縁までの距離が長く、水平孔２１４の下辺よりさらに下側に所定の空間が確保されていなければ固定側板４１０の係合ピン４１１が水平孔２１４の上辺と干渉してしまうという条件において、底板３００を載置することによりその空間が確保できなくなる場合等である。たとえばそのような構成も本発明の範囲内であり、底板３００をパレット１００の上面に載置した場合に固定側板４１０がコーナー金具２１０から離脱不能になる構成は、前述した実施形態に限られるものではない。
【００７２】
また、本実施形態の組み立て式コンテナ１においては、組み立て式コンテナ１を段積みする為の特別の構造を設けていないものとしたが、パレットの下面あるいは上蓋の上面等に段積みされた場合のズレ防止部等を設置してもよい。
【符号の説明】
【００７３】
１…組み立て式コンテナ
１００…パレット
１０１…リフト用開口
２００…下金枠
２１０…コーナー金具
２１１…第１の板面
２１２…第２の板面
２１３…係合孔
２１４…水平孔
２１５…傾斜孔
２１６…付け根部
２１７…屈曲部
２１８…先端部
２２０，２３０…補強金枠
２２１，２３１…水平面（一方の板面）
２２２，２３２…立設面（他方の板面）
２２３，２３３…螺子
２２４，２３４…リベット
２２５…ゴムバンド受け金具
３００…底板
４００…側板
４１０…固定側板
４１１…係合ピン
４１５…ゴムバンド受金具
４５０…差込側板
４６０…連結具
４６１…長穴
４６８…係留ピン
４６９…嵌合孔
４７０…板バネ
４７１…固定用ピン
４７２…リベット用孔
４７３…操作部
４７４…固定用ピン設置面
４７５…固定用ピン収納孔
４７８…リベット
５００…上蓋
５０１…基板
５０２…枠部材
５０３…溝
５０４…当て板
５０５…リベット
５２０…ゴムバンド
【図１】
0006476728.tif 000002
【図２】
0006476728.tif 000003
【図３】
0006476728.tif 000004
【図４】
0006476728.tif 000005
【図５】
0006476728.tif 000006
【図６】
0006476728.tif 000007
【図７】
0006476728.tif 000008
【図８】
0006476728.tif 000009
【図９】
0006476728.tif 000010
【図１０】
0006476728.tif 000011